(57)【特許請求の範囲】
【請求項１】
表裏一対の表紙本体と、これら表紙本体の一部と重合する重合部分を構成して当該表紙本体を取り付ける表紙本体取付部とこの表紙本体取付部の基端間に一体的に設けた背表紙部と、この背部材に設定され形状の異なる複数種類の綴じ具のいずれかを選択的に装着し得る綴じ具装着部とを具備したファイル本体を備えてなるファイルであって、
前記重合部分に、前記数種類の綴じ具のうち少なくとも前記背表紙部における幅方向に沿った最大幅寸法を有する綴じ具を装着した状態において、その最大幅寸法を有する綴じ具の前記幅方向における端部に対応した部位に当該重合部分の表面側には露出しない凹部を形成したファイル。
【請求項２】
前記凹部が、当該凹部に前記最大幅寸法を有する綴じ具の前記幅方向における端部を収容した状態で前記表裏一対の表紙本体同士を略平行をなして対向させ得るようなへこみ幅寸法に設定されている請求項１記載のファイル。
【請求項３】
前記重合部分を、前記表紙本体を前記表紙本体取付部の内側に位置付けて構成し、前記凹部をこの表紙本体に形成するようにしている請求項１又は２記載のファイル。
【請求項４】
前記凹部が、前記表紙本体において前記綴じ具の端部に対応した部位に貫通孔を形成して構成されたものである請求項３記載のファイル。
【請求項５】
前記形状の異なる複数種類の綴じ具のうち最大幅寸法を有する綴じ具が、前記幅方向に沿って開閉可能なリングを具備してこのリングに紙葉類を綴じ込むことが可能な綴じ具であり、前記凹部が、前記リングの前記幅方向における端部形状に対応して形成されたものである請求項１乃至４何れかに記載のファイル。
【請求項６】
前記凹部が、リングの数が異なる或いはリング配置が異なる２種類以上の綴じ具のそれぞれに取り付けられたリングに対応した部位に形成されている請求項５記載のファイル。
【請求項７】
最大幅寸法を有する綴じ具が一対の押さえ板と各押さえ板から突出し互いに嵌め合う綴じ桿とを具備して前記押さえ板間に紙葉類を綴じ込むことが可能な綴じ具であり、凹部が、前記押さえ板の前記幅方向における端部形状に対応して形成されたものである請求項１乃至４の何れかに記載のファイル。
【請求項８】
樹脂成型品である請求項１乃至７何れかに記載のファイル。
【発明の詳細な説明】
【０００１】
【発明の属する技術分野】
本発明は、書類などの紙葉類を綴じ込むためのファイル、特に綴じ具を付け替え可能なファイルに関するものである。
【０００２】
【従来の技術】
従来、オフィスなどで使用される書類などの紙葉類を綴じ込むためのファイルにおいては、背表紙部の幅寸法に対してどれだけの紙葉類を収容することが可能であるかを示す収容効率が重視され、この収容効率を低下させないことがファイル製作の上で重要な課題となっている。
【０００３】
また、このように紙葉類を綴じるファイルとして、表裏一対の表紙部と、この表紙部の基端間に配される背表紙部を具備したファイル本体の前記背表紙部の内側に綴じ具を取り付けてなるものが多くみられる。このようなファイルに適用される綴じ具としては、背表紙部の幅方向に開閉可能なリングを具備してこのリングに紙葉類を綴じ込むことが可能な綴じ具や、一対の押さえ板と各押さえ板から突出し互いに嵌め合う綴じ桿とを具備して前記押さえ板間に紙葉類を綴じ込むことが可能な綴じ具等があり、またこれらの綴じ具においてもそれぞれ異なる形状のものがある。そしてこのようなファイルの製造の利便性を図るために、上記のように形状の異なる綴じ具を、同型のファイル本体に対して取り付けるようにして部品を共通化したいという要望があった。
【０００４】
【発明が解決しようとする課題】
ところが、上記のような複数種類の綴じ具には幅寸法における僅かな規格の差がある場合があり、ファイル本体を共通化しようとすると、これら複数種類の綴じ具のうち背表紙部の幅方向に沿った最大幅寸法を有する綴じ具に合わせてファイル本体の背表紙部の幅寸法を決定せねばならず、その結果、この最大幅寸法に対応させたファイル本体に綴じ具を取り付けてファイルを構成するようにすると、そのファイルの前記収容効率を低下させてしまうこととなる。
【０００５】
一方、近年、表裏一対の表紙本体とこれら表紙本体の一部と重合して当該表紙部を取り付ける表紙本体取付部とこの表紙本体取付部の基端間に一体的に設けた背表紙部とを具備してなる背部材とを備えて構成したファイル本体の製作が比較的低コストで製作することが可能となってきている。
【０００６】
そこで、このようなファイル本体の前記重合部分に着目し、この重合部分を利用して、部品の共通化が可能であって収容効率を低下させず、しかも外観の良好さは保持して構成したファイルを提供する。
【０００７】
【課題を解決するための手段】
すなわち、本発明は、表裏一対の表紙本体と、これら表紙本体の一部と重合して当該表紙本体を取り付ける表紙本体取付部とこの表紙本体取付部の基端間に一体的に設けた背表紙部と、この背部材に複数種類の綴じ具のいずれかを選択的に装着し得る綴じ具装着部を形成しているファイルであって、前記表紙本体と表紙本体取付部とが重合する重合部に、前記複数種類の綴じ具のうち少なくとも背表紙部における幅方向に沿った最大幅寸法を有する綴じ具を装着した状態において、その最大幅寸法を有する綴じ具の前記幅方向における端部に対応した部位に、重合部分の表面側には露出しない凹部を形成したファイルである。
【０００８】
ここで「形状の異なる複数種類の綴じ具」とは、綴じ込み方法が異なる複数種類の綴じ具や綴じ込み方法は同一でも長さ寸法や幅寸法など大きさが異なる複数種類の綴じ具などのことである。
【０００９】
このようなものであれば、表紙本体と表紙本体取付部との重合部分を利用して形成される凹部に綴じ具の端部を収容することができ、すなわち、形状の異なる複数種類の綴じ具を選択的に取り付けられるものにおいて綴じ具の種類の違いに基づく幅寸法の僅かな規格の差をこの重合部分に吸収させてしまうことができるため、ファイルの紙葉類の収容効率を低下させることなく部品の共通化を実現して、しかも外観の良好さを保持することができるようになる。ひいては、製造の利便性を図ることができるようになり、商品の低価格での提供を可能とする。
【００１０】
このような凹部の具体的態様としては、その内部に前記最大幅寸法を有する綴じ具の幅方向の端部を収容した状態で前記一対の表紙部同士を略平行をなして対向させることができるようにそのへこみ幅寸法を設定されたものが望ましい。
【００１１】
また、このような凹部を、重合部分を表紙本体取付部を内側に位置付けて構成しその表紙本体取付部に設けることも可能であるが、外見上好ましい態様としては、重合部分を、前記表紙部を内側に位置付けて形成しておき、前記凹部をこの表紙部に形成するようにする。
【００１２】
このように表紙本体側に形成した凹部の簡素で好ましい具体的態様としては、当該表紙本体の前記綴じ具の端部に対応した部位に貫通孔を形成することで構成されたものが挙げられる。
【００１３】
また、このような凹部の具体的態様として、最大幅寸法を有する綴じ具が背表紙部の幅方向に沿って開閉可能なリングを具備してこのリングに紙葉類を綴じ込むことが可能な綴じ具である場合には、凹部を前記リングの前記幅方向における端部形状に対応して形成するようにしたものが挙げられる。
【００１４】
製造の利便性のさらなる向上のためには、凹部を、リングの数が異なる或いはリング配置が異なる２種類以上の綴じ具のそれぞれに取り付けられたリングに対応した部位に形成することが望ましい。
【００１５】
一方、最大幅寸法を有する綴じ具が一対の押さえ板と各押さえ板から突出し互いに嵌め合う綴じ桿とを具備して前記押さえ板間に紙葉類を綴じ込むことが可能な綴じ具である場合の、凹部の具体的態様としては、綴じ具の押さえ板の幅方向における端部形状に対応して形成したものが挙げられる。
【００１６】
ファイルを樹脂成形によるものとすれば、凹部の形成が簡単になる。
【００１７】
【発明の実施の形態】
以下、本発明の一実施形態を、図面を参照して説明する。
【００１８】
図１、２に示した本実施形態におけるファイルＦは、オフィス等で書類など紙葉類を綴じ込むために使用されるものであり、ファイル本体１と綴じ具２とを主たる構成要素としている。
【００１９】
ファイル本体１は、表裏一対の表紙本体３１、３２と、これら表紙本体の一部と重合する重合部分Ｇを構成して当該表紙本体３１、３２を取り付ける表紙本体取付部４１、４２とこの表紙本体取付部４１、４２の基端間に一体的に設けた背表紙部４３とを具備してなる背部材４と、綴じ具装着部５とを具備したものである。なお、以下において、このファイルを図１に示したように起立させた状態において、前記表紙本体の開閉自由端部側を前方、そして基端部側を後方とし、背部材の長手方向を上下方向として説明することとする。
【００２０】
表裏一対の表紙本体３１、３２は、ポリプロピレン等の合成樹脂を型抜き加工することによって、その側面視形状がＡ４規格やＢ５規格に対応した大きさになす略矩形状をなすように成形されたもので、図７に示すようにその基端部側に表紙本体取付部４１、４２と重合する表紙本体側重合部３１１、３２１を形成しているものである。この表紙本体側重合部３１１、３２１は、基端部側に厚肉部分３１ａ、３２ａを形成するとともに、厚肉部分３１ａ、３２ａの表面側から表紙本体取付部４１の取付部側重合部が嵌まり込むことができる窪み３１ｂ、３２ｂを設けて形成されている。すなわち本実施の形態において、前記重合部分Ｇは、この表紙本体３１、３２が前記表紙本体取付部４１、４２の内側に位置付けられて構成されている。また、前記表紙本体側重合部３１１、３２１の上下端部には、図４に示すように当該表紙本体３１、３２の表紙本体取付部４１、４２に対する上下方向の位置決めをするための係合凹部３１２、３２２を形成している。
【００２１】
背部材４は、表紙本体取付部４１、４２と、この表紙本体取付部４１、４２の基端間に一体的に設けた背表紙部４３と、本実施形態においては、さらに前記表紙本体取付部４１、４２と背表紙部４３との間に配されるカバー部材４４とを具備してなるものである。
【００２２】
表紙本体取付部４１、４２は、表紙本体３１、３２の一部たる前記表紙本体側重合部３１１、３２１と重合して重合部分を構成する取付部側重合部４１１、４２１（図７参照）と、この取付部側重合部４１１、４２１の上下端部に形成され前記係合凹部３１２、３２２に嵌まり込む係合部４１２、４２２とを備えてなるものである。取付部側重合部４１１、４２１は、表紙本体３１、３２に形成された前記窪み３１ｂ、３２ｂに対応した肉厚に成形されており、このため前記表紙本体側重合部３１１、３２１と重合させた状態で表紙本体３１、３２と表紙本体取付部４１、４２とが連続した面が形成され外観が良好なものとなっている。この表紙本体取付部４１、４２は、本実施形態においては側面視前方に膨出した略弓なり形をなすように成形されたものであるが、その形状はこれに限られない。そして、この表紙本体取付部４１、４２に前記表紙本体表紙本体３１、３２を取り付ける際には、前記係合部４１２、４２２を表紙本体の係合凹部に係合させるとともにその前端部を表紙本体の窪み３１ｂ、３２ｂの前端側に形成される後向きの当接面３１ｃ、３２ｃに当てて表紙本体３１、３２の表紙本体取付部４１、４２に対する位置決めをし、取付部側重合部４１１、４２１と表紙本体側重合部３１１、３２１とを重合させた状態で、例えば超音波溶着によって固定するようにする。そして、この表紙取付部４１、４２と表紙本体３１、３２とで表裏一対の開閉表紙部が構成されることなる。
【００２３】
背表紙部４３は、前記表紙本体取付部４１、４２の後端部に設けられた上下に亘るヒンジ部Ｈを介して連続して形成されたものである。具体的には、前記ヒンジ部Ｈの後方に突出させた１対の側壁部４３１、４３２と、これら側壁部４３１、４３２（図６参照）の後端間に連続して設けられ後方へ湾曲する背壁部４３３と、前記側壁部４３１、４３２及び背壁部４３３の上端部及び下端部を覆う天壁部４３４と底壁部４３５とを備えてなる。前記背壁部４３３には、図１、２に示すように、その背面側の上下に手掛け用凹部４３３１を形成して、例えば書棚等に収められた状態から取り出し易くしている。また、その背面（後面）側には、ラベルや見出し片を装着するためのラベル装着部４３３２を形成している。
【００２４】
またカバー部材４４は、前記背壁部４３３に形成された手掛け用凹部４３３１や、ラベル装着部４３３２の裏側（前方側）の形状や後述する綴じ具装着部５を隠蔽するように前記側壁部４３１、４３２の前端部間に配されるものである。
【００２５】
綴じ具装着部５は、前記背部材４に設定され形状の異なる複数種類の綴じ具のいずれかを選択的に装着し得るものである。本実施形態では、図６に示すように前記背壁部４３３を後方へ湾曲させた形状を利用してこの背壁部４３３の前面に、ねじを挿入可能なねじ挿入部５１を上下方向に所定間隔を隔てて複数突出するように設けて構成したものである、このねじ挿入部５１は、前記背壁部４３３と一体的に形成されたものであり、例えば、図示例のように内部にねじをねじ込み可能な穴５１ａを形成した円筒状のものであり、又上下に二つ形成されたものである。すなわち、この綴じ具装着部５は、形状の異なる複数種類の綴じ具に前記ねじ挿入部に対応してねじ孔を形成しておくことで、これら複数種類の綴じ具のいずれかを選択的に装着できる。
【００２６】
このような綴じ具装着部５に装着可能な綴じ具２として、本実施形態では、この綴じ具装着部５に対して、少なくとも図３に示した綴じ具２Ａと、図５に示したような綴じ具２Ｂとしている。
【００２７】
綴じ具２Ａは、ベース部材２Ａ１に、前記背表紙部の幅方向に開閉可能なリング２Ａ２を取り付けてなり、このリング２Ａ２に紙葉類を綴じ込むことが可能なものである。図示例のものでは、リング２Ａ２を２つ備えて構成され紙葉類たる２穴用紙を綴じ込むためのものである。なお、図６において、綴じ具２Ａのベース部材２Ａ１の内部は省略している。
【００２８】
また、綴じ具２Ｂは、ベース部材２Ｂ１と、一対の押さえ板２Ｂ２１、２Ｂ２２と、各押さえ板２Ｂ２１、２Ｂ２２から突出し互いに嵌め合う綴じ桿２Ｂ３１、２Ｂ３２とを具備して前記押さえ板２Ｂ２１、２Ｂ２２間に紙葉類を綴じ込むことが可能な綴じ具であり、いわゆるチューブファイルに使用されるものである。
【００２９】
しかして、本実施の形態においては、前記重合部分Ｇに前記綴じ具装着部５に装着可能な数種類の綴じ具のうち少なくとも前記背表紙部４３の幅方向に沿った最大幅寸法を有する綴じ具を装着した状態において、その最大幅寸法を有する綴じ具の前記幅方向における端部に対応した部位に当該重合部分Ｇの表面側には露出しない凹部６を形成するようにしている。
【００３０】
本実施の形態においては、綴じ具装着部５に装着可能な上記綴じ具２Ａ及び綴じ具２Ｂのうち綴じ具２Ａの幅寸法に相当するリングの幅寸法Ｄ（図３参照）が、綴じ具２Ｂの幅寸法に相当する押さえ板２Ｂ２１、２Ｂ２２の外側端間寸法ｄ（図５参照）より若干大きいものとなっており、凹部６は、綴じ具Ｔ１の端部に対応した部位すなわちリング２Ａ１に対応した部位に形成されている。具体的には、この凹部６は、重合部分Ｇの内側に位置付けられた表紙本体３１、３２の前記表紙本体側重合部３１１、３２１における前記リング２Ａ１の端部に対応した部位に抜き加工等によって貫通孔６１を形成して設けられたものである。従って、凹部６のへこみ幅寸法に相当する当該表紙本体側重合部３１１、３２１の厚み幅を、図７に示したように凹部６に前記綴じ具Ｔ１のリングＲの端部が収容された状態で表裏一対の表紙本体３１、３２同士を略平行をなして対向させることができるような厚み幅に設定している。
【００３１】
このように構成した本実施形態のファイルＦの組立手順について説明する。
【００３２】
このファイルＦに綴じ具２Ａを適用してリングファイルとして機能させる場合には、まず、背部材４の表紙本体取付部４１、４２に上記したように表紙本体３１、３２を取り付けてファイル本体１を構成する。だだし、この状態でカバー部材４４は取り付けられていない。次に、この状態のファイル本体１の内側から、ねじＶを綴じ具１、カバー部材４４、背表紙部４３に形成された綴じ具取付部５の順にねじ込んでいき、このねじＶによって共締めしてファイル本体１に綴じ具２Ａを装着する。この際、リング２Ａ２の端部は、前記凹部に収容された状態となり、当該ファイルは、表紙本体が広がるようなことなく適正な形状をなす。
【００３３】
一方、このファイルＦを、綴じ具２Ｂを取り付けてチューブファイルとして機能させる場合には、本実施形態における表紙本体３１、３２を使用してもよいが、図５に示した表紙本体３１’、３２’を適用することが望ましい。この表紙本体３１’、３２’は、前記綴じ具２Ａのリング２Ａ２に対応している凹部６を形成されておらず、表紙本体３１、３２よりその開閉自由端部から基端部までの長さ寸法が若干短く設定されたものである。なお、この表紙本体３１、３２との長さ寸法の差異は、リング２Ａ２に綴じ込まれた状態の紙葉類と、綴じ桿２Ｂ３１、２Ｂ３２に綴じ込まれた状態の紙葉類との開閉自由端部まで長さ寸法の違いにより、それぞれに対応した長さ寸法に設定したものである。そして、この表紙本体３１’、３２’と前記背部材４と備えてファイル本体１を構成して、前記綴じ具Ｔ１の製作の場合と同様に、ねじを綴じ具Ｔ２、カバー部材４４、綴じ具取付部５の順にねじ込んでいき、このねじＶによって共締めしてファイル本体１に綴じ具Ｔ２を装着する。
【００３４】
以上のように構成された本実施形態によれば、綴じ具装着部５に装着可能な綴じ具２Ａ、２Ｂがその幅寸法の若干の差異があっても、幅寸法が最も大きな綴じ具２Ａの端部となるリング２Ａ２の端部を、重合部分Ｇを有効に利用した凹部６に収容することができるため、ファイルＦの紙葉類の収容効率を低下させることなく部品の共通化を実現することができ、しかもこの凹部６は重合部分Ｇ表面たる表紙取付部の表面４１ａ、４２ａ（図７参照）側に露出しないものなので外観を損ねない。すなわち、製造の利便性を図ることができ、当該ファイルＦの低価格での提供が期待できる。
【００３５】
また、本実施形態のファイルＦは、表紙本体３１、３２が、樹脂成型品であるため、凹部６の成形が簡単に行える。しかもこの凹部６を貫通孔によって構成しているので、有底の穴状に形成したようなものと比較して、その製作は簡単である。さらに、背部材４３も樹脂成型品であるため、表紙本体３１、３２との重合をリベットなどではなく溶着によって行うことができ、ファイルＦ全体の製作を簡単なものとしている。
【００３６】
また、形状の異なる複数種類の綴じ具２Ａ、２Ｂを、背部材４と一体に形成したねじ挿入部５１から構成される綴じ具取付部５を、利用して選択的に取り付けられるようにしているので、簡単な加工によってこの背部材４の共通化を実現することができる。
【００３７】
しかして、本実施形態によれば、以上のような点の相乗効果により、部品の共通化の実現、この部品の共通化に伴う収容効率に低下の防止、外観の保持という作用効果のすべてを簡単な製作によって奏するファイルを提供することができる。
【００３８】
また、表紙本体を綴じ具２の形状に対応させることで、様々な態様のファイルとして構成することができる。
【００３９】
本発明は本実施形態に限られない。
【００４０】
特に凹部の形状は、図示例のものに限られることはなく、種々の綴じ具の端部形状に対応させたものであってよい。
【００４１】
また、綴じ具装着部としては、背部材に一体成形されたものに限らず、別体のものであってもよい。また、ねじを利用して固定するものに限られず、ラッチ爪のようなもので係合させるようなものであってもよい。
【００４２】
また、重合部分を、表紙本体取付部を表紙本体の内側に位置付けて構成し、凹部を表紙本体取付部側に形成してもよい。
【００４３】
凹部は、重合部分の表面に露出しなければ、どちらともに連続して形成されたようなものであってもよい。
【００４４】
また、表紙本体が、図８に示すような、上記綴じ具２Ａのような２穴用紙を綴じ込むための綴じ具と、３穴用紙を綴じ込むための綴じ具とに備えられたリングにそれぞれ対応する部位に貫通穴６１Aを形成して凹部６Ａを構成したものであってもよい。さらに貫通孔６１Ａの数が多いものであってもよいのは勿論である。また、リングの数は同じで取り付けられた位置が異なる綴じ具に対応させて凹部を形成しているものであってもよい。
【００４５】
また、綴じ具取付部に取り付けられる複数種類の綴じ具のうち最大幅寸法を有する綴じ具が、ベース部材２Ｃ１と、一対の押さえ板２Ｃ２１、２Ｃ２２と各押さえ板から突出し互いに嵌め合う綴じ桿２Ｃ３１、２Ｃ３２とを具備して前記押さえ板２Ｃ２１、２Ｃ２２間に紙葉類を綴じ込むことが可能な綴じ具２Ｃである場合は、図９に示すファイルＦ１のように、重合部分においてこの綴じ具１２の押さえ板２Ｃ２１、２Ｃ２２に対応した部位に、この押さえ板２Ｃ２１、２Ｃ２２の端部形状に対応した凹部１６を形成しているものであってもよい。
【００４６】
その他、各部の具体的構成についても上記実施形態に限られるものではなく、本発明の趣旨を逸脱しない範囲で種々変形が可能である。
【００４７】
【発明の効果】
本発明は、以上説明したような形態で実施され、以下に記載されるような効果を奏する。
【００４８】
すなわち、本発明のファイルは、形状の異なる複数種類の綴じ具を選択的に取り付けられるものであって、表紙本体と表紙本体取付部との重合部分を利用して形成した凹部によって綴じ具の種類の違いに基づく幅寸法の僅かな規格の差をこの重合部分に吸収してしまうことができるため、ファイルの紙葉類の収容効率を低下させることなく部品の共通化を実現して、しかも外観の良好さを保持することができる。
【図面の簡単な説明】
【図１】本実施の形態の一実施形態を示す全体図。
【図２】同分解斜視図。
【図３】同開閉表紙部を開いた状態を示す斜視図。
【図４】同開閉表紙部を開いた状態を示す斜視図。
【図５】同表紙本体を示す側面図。
【図６】図１におけるＡ−Ａ断面図。
【図７】図１におけるＢ−Ｂ断面図。
【図８】本発明の別の実施形態における表紙本体の別の態様を示す側面図。
【図９】本発明の別の実施形態を示す側面図。
【符号の説明】
１・・・ファイル本体
２、２Ｂ・・・綴じ具
２Ａ、２Ｃ・・・最大幅寸法を有する綴じ具（綴じ具）
２Ａ２・・・リング
２Ｃ２１、２Ｃ２２・・・押さえ板
２Ｃ３１、２Ｃ３２・・・綴じ桿
３１、３２、３１Ａ、３２Ａ・・・表紙本体
４・・・背部材
４１、４２・・・表紙本体取付部
４１ａ、４２ａ・・・重合部分の表面（表紙本体取付部の表面）
４３・・・背表紙部
５・・・綴じ具装着部
６、１６・・・凹部
６１・・・貫通孔
Ｆ、Ｆ１・・・ファイル
Ｇ・・・重合部分
【図１】
0004025112.tif 000002
【図２】
0004025112.tif 000003
【図３】
0004025112.tif 000004
【図４】
0004025112.tif 000005
【図５】
0004025112.tif 000006
【図６】
0004025112.tif 000007
【図７】
0004025112.tif 000008
【図８】
0004025112.tif 000009
【図９】
0004025112.tif 000010